(57)【要約】【課題】  論理的なつながりを持つ複数のカテゴリを含む分野で弱点判定を短時間ででき、学習者が学習する項目とその順序を可視化できるようになることにより、学習者が弱点を見出して学習するためのシステムを提供する。【解決手段】  ウィークポイント学習センタ装置１を具備し、ネットワーク４、５を介して問題作成者用装置２又は学習者用装置３と接続され、学習者が弱点を見出して学習することができるシステムであって、ウィークポイント学習センタ装置１は、問題作成者が作成した問題、問題の学習項目及び問題の正解を入力する問題入力部１１と、問題、問題の学習項目及び問題の正解を格納するデータ格納部１３と、問題を出力する問題出力部１２と、学習者の解答を入力する解答入力部１４と、学習者の解答を採点する採点部１５と、採点結果と学習者の弱点の学習項目を出力する採点結果出力部１６とを備えるとともに、問題出力部１２は、出力した問題、問題の学習項目及び問題に対する学習者の解答の採点結果を基に次の問題を出力する。【選択図】        図１
2005345987.tif 000002
【特許請求の範囲】
【請求項１】
ウィークポイント学習センタ装置を具備し、ネットワークを介して問題作成者用装置又は学習者用装置と接続され、学習者が弱点を見出して学習することができるシステムであって、
前記ウィークポイント学習センタ装置は、問題作成者が作成した問題、該問題の学習項目及び該問題の正解を入力する問題入力部と、問題、問題の学習項目及び問題の正解を格納するデータ格納部と、該データ格納部に格納した問題を出力する問題出力部と、学習者の解答を入力する解答入力部と、学習者の解答を採点する採点部と、採点結果と学習者の弱点の学習項目を出力する採点結果出力部とを備えるとともに、前記問題出力部は、出力した問題、該問題の学習項目及び該問題に対する学習者の解答の採点結果を基に次の問題を出力することを特徴とするウィークポイント学習システム。
【請求項２】
請求項１記載のウィークポイント学習システムにおいて、
上記データ格納部は、親学習項目と子学習項目の関係を有して体系付けて問題を格納することを特徴とするウィークポイント学習システム。
【請求項３】
請求項２記載のウィークポイント学習システムにおいて、
上記問題出力部は、子学習項目の問題に対する学習者の解答が正解とは相違するとき、前記子学習項目に対して親学習項目の関係を有する問題を出力することを特徴とするウィークポイント学習システム。
【請求項４】
請求項３記載のウィークポイント学習システムにおいて、
上記問題出力部は、上記親学習項目の関係を有する問題が既に出力されているとき、出力されていない子学習項目の問題を出力することを特徴とするウィークポイント学習システム。
【請求項５】
問題作成者が作成した問題、該問題の学習項目及び該問題の正解を入力する問題入力機能と、問題、問題の学習項目及び問題の正解を格納するデータ格納機能と、該データ格納機能により格納した問題を出力する問題出力機能と、学習者の解答を入力する解答入力部と、学習者の解答を採点する採点機能と、採点結果と学習者の弱点の学習項目を出力する採点結果出力機能を備えるとともに、前記問題出力機能により、出力した問題、該問題の学習項目及び該問題に対する学習者の解答の採点結果を基に次の問題を出力することをコンピュータに実現させるプログラムからなるコンピュータ・ソフトウエア。
【発明の詳細な説明】
【技術分野】
【０００１】
本発明は、ウィークポイント学習システム及びコンピュータ・ソフトウエアに係り、特に、コンピュータを用いて学習・テストなどを行うＣＢＴ（コンピュータ・ベスト・トレーニング）やＷＢＴ（ウエブ・ベースト・トレーニング）などにおいて、学習者が弱点を見出して学習するためのシステム及びそのコンピュータ・ソフトウエアに関する。
【背景技術】
【０００２】
コンピュータを用いて学習・テストなどを行い、学習者の弱点を判定することが実施されている。従来のテストでは、複数のカテゴリを含む分野で弱点判定するときにすべてのカテゴリのテストを行っている（特許文献１参照）。カテゴリ間が論理的なつながりを持つとき、弱点判定をしなくても良いカテゴリがあり、そのカテゴリをテストするために問題数が多くなる場合があった。このため、数学などの１問あたりにかける時間が長いテスト自体の時間が長くなり、弱点を見出して学習するのが負担になっていた。
【特許文献１】特開２００３−６６８２２号公報
【発明の開示】
【発明が解決しようとする課題】
【０００３】
本発明は、論理的なつながりを持つ複数のカテゴリを含む分野で弱点判定を短時間ででき、学習者が学習する項目とその順序を可視化できるようになることにより、学習者が弱点を見出して学習するためのシステムを提供することを目的とする。
【課題を解決するための手段】
【０００４】
本発明は、ウィークポイント学習センタ装置を具備し、ネットワークを介して問題作成者用装置又は学習者用装置と接続され、学習者が弱点を見出して学習することができるシステムであって、前記ウィークポイント学習センタ装置は、問題作成者が作成した問題、該問題の学習項目及び該問題の正解を入力する問題入力部と、問題、問題の学習項目及び問題の正解を格納するデータ格納部と、該データ格納部に格納した問題を出力する問題出力部と、学習者の解答を入力する解答入力部と、学習者の解答を採点する採点部と、採点結果と学習者の弱点の学習項目を出力する採点結果出力部とを備えるとともに、前記問題出力部は、出力した問題、該問題の学習項目及び該問題に対する学習者の解答の採点結果を基に次の問題を出力するウィークポイント学習システムである。
【０００５】
また、本発明は、上記データ格納部は、親学習項目と子学習項目の関係を有して体系付けて問題を格納するウィークポイント学習システムである。
【０００６】
そして、本発明は、上記問題出力部は、子学習項目の問題に対する学習者の解答が正解とは相違するとき、前記子学習項目に対して親学習項目の関係を有する問題を出力するウィークポイント学習システムである。
【０００７】
更に、本発明は、上記問題出力部は、上記親学習項目の関係を有する問題が既に出力されているとき、出力されていない子学習項目の問題を出力するウィークポイント学習システムである。
【０００８】
また、本発明は、問題作成者が作成した問題、該問題の学習項目及び該問題の正解を入力する問題入力機能と、問題、問題の学習項目及び問題の正解を格納するデータ格納機能と、該データ格納機能により格納した問題を出力する問題出力機能と、学習者の解答を入力する解答入力部と、学習者の解答を採点する採点機能と、採点結果と学習者の弱点の学習項目を出力する採点結果出力機能を備えるとともに、前記問題出力機能により、出力した問題、該問題の学習項目及び該問題に対する学習者の解答の採点結果を基に次の問題を出力することをコンピュータに実現させるプログラムからなるコンピュータ・ソフトウエアである。
【発明の効果】
【０００９】
本発明によれば、ウィークポイント検出する際の出題問題数を減らすことができ、学習者の学習するカテゴリその順序を視覚的に確認することができ、学習者の弱点判定にかかる負担を減らし、学習者が弱点を見出して学習することができるシステムを得ることができる。
【発明を実施するための最良の形態】
【００１０】
本発明を実施するための最良の形態を説明する。
本発明の実施例について、図１〜図５を用いて説明する。図１は、実施例のウィークポイント学習システムの説明図である。図２は、実施例のウィークポイント学習システムのウィークポイント学習センタ装置の説明図である。図３は、実施例のウィークポイント学習システムにおける実装テストマップの説明図である。図４は、実施例のウィークポイント学習システムにおける問題の階層の説明図である。図５は、ウィークポイント学習システムにおける出題手順の一例のフローチャートの説明図である。
【００１１】
実施例を説明する。本実施例のウィークポイント学習システムは、図１に示すように、ウィークポイント学習センタ装置１を具備しており、ウィークポイント学習センタ装置１は、例えばコンピュータ等からなる問題作成者用装置２とＬＡＮ（域内通信網）４等を介して接続され、また、例えばコンピュータ、携帯電話機等からなる学習者用装置３と公衆回線網５等を介して接続される。そして、ウィークポイント学習センタ装置１は、例えばサーバからなり、図２に示すように、問題入力部１１、問題出力部１２、データ格納部１３、解答入力部１４、採点部１５、採点結果出力部１６、制御部１７等を備えている。問題入力部１１は、問題作成機能を有しており、問題作成者が作成した問題、問題の学習項目（カテゴリ）、正解や解説等を入力する。問題については、後述する。問題出力部１２は、問題や解説等を出力する機能を有しており、学習者の解答の採点結果及び問題の学習項目に従って出力する問題を選択する。データ格納部１３は、問題、学習項目、正解、解説等を格納する。解答等入力部１４は、学習者が問題の解答を入力する。採点部１５は、学習者の解答を採点する。採点結果出力部１６は、採点結果を出力し、そして、学習者のウィークポイントである学習項目を一覧提示し、解説等を出力して学習者の学習に供する。制御部１７は、ウィークポイント学習システム全体の動作等を制御する。
【００１２】
本システムにおける問題と学習項目について、説明する。問題は、図３の実装テストマップに示すように、子学習項目と親学習項目の関係の階層を構成している。子学習項目と親学習項目は、論理的なつながりを有しており、子学習項目は、親学習項目を構成する具体的な項目である。例えば親学習項目が「不定積分」であるのに対し、子学習項目が「置換積分」、「部分積分」、「基本的な定積分」、「囲まれた面積」等である。１又は複数個の子学習項目問題に対し、１個の親学習項目問題がある。親学習項目問題に対し更に親学習項目問題がある場合があり、子学習項目問題に対し更に子学習項目問題がある場合があるが、末端学習項目の問題にはその子学習項目となる問題はない。
【００１３】
本システムにおける問題の出題方法の一例について、説明する。出題する問題の始めは、末端学習項目の問題である。各項目２問セットで出題され、１問間違えた時点で、その学習項目についての評価を不可とし、その親学習項目の問題を出題する。２問とも正しい解答のときは、その学習項目を理解しており、親学習項目の問題を出題する必要はなく、他の末端学習項目の問題を出題する。問題の階層の例及び子学習項目の一例を図４（ａ）に示す。図４（ｂ）には、階層数に対応して、最小問題数（ＭＩＮ）、最大問題数（ＭＡＸ）及び総問題数（ＡＬＬ）を示す。
【００１４】
以下、本実施例のウィークポイント学習システムの運用の一例について、具体的に説明する。本実施例のウィークポイント学習システムには、問題入力モード、問題出力解答入力モード、採点結果出力モード等がある。
【００１５】
問題入力モードについて説明する。問題作成者は、問題入力部１１を使用し、問題及び正解と説明等を作成し入力する。問題は、図３に示す実装テストマップとなるような親項目と子項目の階層を有するように作成する。これにより、問題を出力する際に、入力された親項目と子項目の階層を利用することができる。入力された問題及び正解と説明等は、データ格納部に格納される。
【００１６】
次に、問題出力解答入力モードについて、図５を用いて説明する。テストが開始される（Ｓ１００）。学習者に対し、問題出力部から問題が１題出題され、まず、一番浅い末端項目が最初に出題される（Ｓ１０１）。学習者は、学習者用装置３を使用し、出題された問題の解答を送信する。採点部１５は、学習者が入力した解答について、正解を使用して理解できているか判断する（Ｓ１０２）。理解できているときは、別の末端項目があるか判断する（Ｓ１１１）。別の末端項目があるときは、別の末端項目の問題に移り（Ｓ１１２）、ステップＳ１０２に戻る。別の末端項目がないと、テスト終了となる（Ｓ１２０）。
【００１７】
ステップＳ１０２で理解できてないと、関連する子項目を理解できていないと記録し（Ｓ１０３）、親項目の問題があるか判断する（Ｓ１０４）。ステップＳ１０４で親項目の問題があると、その親項目が既に出題された項目であるか判断する（Ｓ１０５）。ステップＳ１０５で親項目が既に出題された項目ではないと、親項目に移り（Ｓ１０６）、再度ステップＳ１０２に戻る。ステップＳ１０５で既に出題された項目であると、別の末端項目があるか判断し（Ｓ１１１）、別の末端項目の問題に移る（Ｓ１１２）、又はテスト終了となる（ステップＳ１２０）。ステップＳ１０４で親項目がないと、テスト終了となる（Ｓ１１２）。
【００１８】
最後に、採点結果出力モードについて、説明する。採点結果出力部は、解答者毎の採点結果を出力する。出力される採点結果は、項目毎に理解しているか否かを一覧表示する。これにより、学習者は弱点である学習項目を知ることができる。また、弱点の学習項目の問題の解説等を出力してもらうことにより、ウィークポイントの学習を簡単に実行することができる。
【００１９】
以上実施例で説明したように、本発明によれば、数学などの１問あたりにかける時間が長いテストであっても、理解している子項目に対する親項目の問題を出題しないため、テストの時間が長くならず、学習者は弱点を見出して学習することができる。
【００２０】
また、実施例において、ウィークポイント学習センタ装置を説明したが、問題作成者が作成した問題、該問題の学習項目及び該問題の正解を入力する問題入力機能と、問題、問題の学習項目及び問題の正解を格納するデータ格納機能と、該データ格納機能により格納した問題を出力する問題出力機能と、学習者の解答を入力する解答入力部と、学習者の解答を採点する採点機能と、採点結果と学習者の弱点の学習項目を出力する採点結果出力機能を備えるとともに、前記問題出力機能により、出力した問題、該問題の学習項目及び該問題に対する学習者の解答の採点結果を基に次の問題を出力することをコンピュータに実現させるプログラムからなるコンピュータ・ソフトウエアを使用することにより、サーバ等を本発明のウィークポイントセンタ装置とすることができる。
【図面の簡単な説明】
【００２１】
【図１】実施例のウィークポイント学習システムの説明図。
【図２】実施例のウィークポイント学習システムのウィークポイント学習センタ装置の説明図。
【図３】実施例のウィークポイント学習システムにおける実装テストマップの説明図。
【図４】実施例のウィークポイント学習システムにおける問題の階層の説明図。
【図５】ウィークポイント学習システムにおける出題手順の一例のフローチャートの説明図。
【符号の説明】
【００２２】
１  ウィークポイント学習センタ装置
１１  問題入力部
１２  問題出力部
１３  データ格納部
１４  解答入力部
１５  採点部
１６  採点結果出力部
１７  制御部
２  問題作成者用装置
３  学習者用装置
４  ＬＡＮ
５  公衆回線網
【図１】
2005345987.tif 000003
【図２】
2005345987.tif 000004
【図３】
2005345987.tif 000005
【図４】
2005345987.tif 000006
【図５】
2005345987.tif 000007